(57)【要約】本発明は、水泳用足ひれに関するものである。  本発明による水泳用足ひれは、圧縮成形により成形されるフック状プラスティック製フィンパネル２とシリコンゴム靴１を備えてなる。水泳用足ひれの上部面を通る水の流れが早く側面に飛び散ってしまうことを防止するために、前記水泳用足ひれのフィンパネル２はフック状端部を形成すべく４５°の角度で下方に曲げられる。前記フィンパネル２のフック状端部は、その両側部が閉鎖されており、そのそれぞれの閉鎖された側部に空気／水循環スロット７が形成されている。この種の水泳用足ひれは、水を引き寄せ、その引き寄せられた水を後方に押しの 足動作による推進エネルギーを一層効率よく利用可能にする。特に、前記水泳用足ひれは、バタフライをするときに浮力推進力を生じさせ、ユーザの上半身を水面上に一層容易に浮上させる。
2005533595.tif 000002
【特許請求の範囲】
【請求項１】
ゴム靴の１／２に相当する長さを有し、フック状前方端部が４５°の角度で下方に曲げられて、その両側部が閉鎖されているプラスティック製フィンパネルを備え、
前記フック状前方端部には、それぞれの密閉された側部に空気／水循環スロットが形成されたことを特徴とする水泳用足ひれ。
【発明の詳細な説明】
【技術分野】
【０００１】
本発明は水泳用足ひれ（フィン）に係り、より詳細には、速く泳げるのに役立つ水泳用足ひれであって、本発明の水泳用足ひれは、従来の製品における靴長の略２倍に相当する長さを有するのではなく、靴長の１．５倍に相当する長さを有するため、従来の製品のフィンパネル長の略１／２に相当するフィンパネルを有する。前記水泳用足ひれのフィンパネルは、その前方端部がフック部を形成すべく約４５°の角度で下方に曲げられ、その両側部が閉鎖された形状を呈する。前記フィンパネルのフック状の前方端部は、それぞれの閉鎖された側部に空気／水循環スロットが形成されている。
【背景技術】
【０００２】
現在海外で製造されている通常の一体型水泳用足ひれは、フック部を有さず、かつ、平らで長く延びた形状のフィンパネルを備えている。この平らで長い形状のために、従来の水泳用足ひれは、フィンパネルの上部面を通る水の流れがあまりにも早く両側面に飛び散って抜けてしまうだけではなく、フィンパネルの形状が水の流れに対する抵抗力を減らし難くなっているために、ユーザが水を掻くに当たって水を後方に十分に押しのけるほどの推進力が得られないという不具合があった。このようにユーザは、一層多数回のキックを打たなければならず、これは、脚と足首に無理を与えて筋肉が疲れ易くなる原因となる。
【発明の開示】
【０００３】
本発明は上記事情に鑑みてなされたものであり、本発明の目的は、ユーザに楽しくて易しく水泳を学ばせることにより、一般人に水泳を活性化させて水泳人口の拡大が図れる水泳用足ひれを提供するところにその目的がある。
【０００４】
また、本発明の他の目的は、国民の体力増進を図るとともに、輸入製品への依存度が下げられる水泳用足ひれを提供するところにある。
【０００５】
前記の如き目的を達成するために、本発明は、プラスティック製フィンパネルが靴長の１／２に相当する大きさを有し、前記フィンパネルは４５°の角度で下方に曲げられ、両側部が閉鎖されたフック状の端部を備え、前記フック状の端部は、それぞれの閉鎖された側部に空気／水循環スロットが形成されていることを特徴とする。
【０００６】
上記の如き本発明の目的と特徴、ならびにその他の長所は、後述する詳細な説明と図面によって明らかになる。
【発明を実施するための最良の形態】
【０００７】
以下、添付した図面に基づき、本発明による水泳用足ひれにおける各構成要素間の結合関係について詳細に説明する。
【０００８】
図１および図２に示すように、本発明による水泳用足ひれは、圧縮成形方法を用いて一体に成形されたシリコンゴム靴１と、プラスティック製フィンパネル２と、を備えてなる。前記プラスティック製フィンパネル２は、通常の水泳用足ひれに比べて相対的に短く、フック部を形成するためにその前方端部が約４５°の角度で下方に曲げられている。水泳用足ひれの断面図である図４を参照すれば、前記水泳用足ひれは、前記フィンパネル２が水の流れに対する抵抗によって反ったり捩れることを防止するために、反り防止具６をさらに備える。
【０００９】
上述したように、前記水泳用足ひれのプラスティック製フィンパネル２は、フック状端部を形成するためにその前方端部が下方に曲げられているが、これは、水泳用足ひれを履いたユーザが水中でキック（バタ足）を打つときに生じる水の流れへの抵抗力による反射作用を考慮して講じられたことである。
【００１０】
プラスティック製フィンパネル２のフック状端部が反ったり左右に捩れることを防止するために、反り防止具６が有機的でかつ作動的にフック状プラスティック製フィンパネル２に結合される。つまり、前記プラスティック製フィンパネル２のフック状端部は反り防止具６によりその両側部が密閉され、前記反り防止具６には前記プラスティック両側部を閉鎖しているそれぞれの側面に空気／水循環スロット７が形成されている。
【００１１】
前記反り防止具６によれば、ユーザが速いキック運動を行うときにも、前記フック状プラスティック製フィンパネル２の上部を通る水の流れが早く両側に飛び散ることが防止できる。その結果、ユーザの足動作による運動量が高効率にて前記水泳用足ひれに伝達できると共に、ユーザは極めて容易に前方に進むことができる。
【００１２】
フック状プラスティック製フィンパネル２は物を浮かせる働きをし、水を押しのける上部のバタ足面と、浮力推進作用を行う下部のバタ足面を備える。背泳ぎ時にユーザが足の甲で水を蹴るとき、フック状プラスティック製フィンパネル２の上部のバタ足面は水の流れを後方に押しのける。そして、クロール、平泳ぎおよびバタフライ時には、フック状プラスティック製フィンパネル２の下部のバタ足面はフック状プラスティック製フィンパネル２側に水を引き寄せ、その引き寄せられた水を後方に押しのける役割を果たす。
【００１３】
前記プラスティック製フィンパネル２のフック状端部の下流側に取り付けられた反り防止具６の両側部に形成された空気／水循環スロット７は、小径の空気／水循環路を形成する。前記空気／水循環スロット７は、前記プラスティック製フィンパネル２のフック状端部に連結された反り防止具６内に入っている空気および水を、水泳用足ひれが水面上に浮上したときに素早く吐き出す。
【００１４】
図２に示すように、水泳用足ひれのシリコンゴム靴１には、上方の足の甲部から下方の底面部まで延びる３本の突出ラインがパターニングされている。前記３本の突出ラインは、まるでユーザがゴム紐を用いて水泳用足ひれを締めるかのように、ユーザの足を前記ゴム靴１内にしっかり固定する弾性帯の役割を果たす。そして、前記３本の突出ラインはそれぞれゴム靴１の底面に形成されている滑り止め用ゴム顎４と連結されている。前記滑り止め用ゴム顎４は、ユーザが水泳用足ひれを履いた状態で水中を歩くとき、または飛込み台などに立ったときに滑ることを防ぐ。このとき、前記滑り止め用ゴム顎４は、それぞれの突出ラインと同様に紐形状を呈する。
【００１５】
また、前記滑り止め用ゴム顎４のほかに、ゴム靴１の底面には、滑り止め用ゴム板５をさらに備える。上述したように、フィンパネル２のフック状端部は下方に曲げられている。これを考慮し、前記滑り止め用ゴム顎４と滑り止め用ゴム板５の高さと傾きは、曲げられているフック状端部の底面の高さに合わせて調整可能である。そして、前記ゴム靴１は、その後端の上部にループ３をさらに備えることにより、ユーザは手指で前記ループ３を持って水泳用足ひれを履けば済む。
【００１６】
本発明による水泳用足ひれの場合、プラスティック製フィンパネル２がゴム靴１の１／２に相当する長さを有し、前記プラスティック製フィンパネル２の前方端部は、前記フック状端部を形成するために約４５°の角度で下方に曲げられる。前記プラスティック製フィンパネル２が前記のような形状を有するため、ユーザの脚が前記フィンパネル２と一直線をなし、これにより、水との抵抗が極力抑えられると共に、推進力が最大化させられる。
【００１７】
上述したように、水泳用足ひれのフック状プラスティック製フィンパネル２は、多量の水を後ろに押しのけるように浮力推進作用を行う。これは、泳ぐときに両手を合わせ、手のひらで水を後ろに押しのける作用と同じ原理に基づく。また、水泳用足ひれの上部を通る水の速い流れと飛び散りの不具合を解決するために、上述したように、本発明によるプラスティック製フィンパネル２は、フック状端部を形成するために前方端部が下方に曲げられ、前記前方端部はその両側部が閉鎖されており、前記両端の密閉された側部には空気／水循環スロット７が形成されている。前記フック状プラスティック製フィンパネル２の形状は、水を引き寄せ、その引き寄せられた水をさらに後ろに押しのける足動作による推進エネルギーを一層効率よく利用可能にする。
【００１８】
特に、バタフライをするときには、フック状フィンパネルを有する水泳用足ひれは、引き寄せた水を下方および後方に効率よく押しのけることにより強い浮力推進力を生じさせ、ユーザの上半身を水面上に一層容易に浮上させる。
【産業上の利用可能性】
【００１９】
以上の説明から明らかなように、本発明は、泳ぐときにまるで両手を合わせて手のひらで水を後ろに押しのけて前方に進むような働きをする水泳用足ひれを提供する。また、本発明による水泳用足ひれは、鳥が水面を弾いて飛ぶときの原理に基づく。
【００２０】
本発明による水泳用足ひれは、ゴム靴とプラスティック製フィンパネルを備える。そして、水泳用足ひれは、ゴム靴の約１．５倍に相当する長さを有する。水泳用足ひれが短いため、ユーザが長時間水泳をする場合にも、足首に過度な無理を与えず、キックをするときに要される力を減らすことにより、効率よいキックを可能にする。また、本発明によれば、水泳用足ひれはフック状端部を形成するためにその前方端部が４５°の角度で下方に曲げられ、これにより、引き寄せた水を強く後ろに押しのけてユーザに前方に進み易くする浮力推進力を生じるべく設計されている。
【００２１】
以上、本発明の記載された具体的な実施の形態について詳細に説明されたが、本発明の技術的な思想内であれば様々な変形および修正が可能であるということは当業者にとって明らかである。なお、かかる変形および修正は、特許請求の範囲に属するということは言うまでもない。
【図面の簡単な説明】
【００２２】
【図１】図１は、本発明による水泳用足ひれの平面図である。
【図２】図２は、本発明による水泳用足ひれの側面図である。
【図３】図３は、本発明による水泳用足ひれの底面図である。
【図４】図４は、本発明による水泳用足ひれのＡ−Ａ′線断面図である。
【図５】図５は、本発明による水泳用足ひれの実物写真である。
【図１】
2005533595.tif 000003
【図２】
2005533595.tif 000004
【図３】
2005533595.tif 000005
【図４】
2005533595.tif 000006
【図５】
2005533595.tif 000007
【手続補正書】
【提出日】平成17年1月26日(2005.1.26)
【手続補正１】
【補正対象書類名】特許請求の範囲
【補正対象項目名】全文
【補正方法】変更
【補正の内容】
【特許請求の範囲】
【請求項１】
ゴム靴の１／２に相当する長さを有し、フック状前方端部が４５°の角度で下方に曲げられたプラスティック製フィンパネルであって、
前記プラスティック製フィンパネルの両側部には反り防止具６が一体に形成されており、
前記各反り防止具６の先端の一側壁を横切って空気／水循環スロットが形成されることを特徴とする水泳用足ひれ。
【請求項２】
前記フィンパネルの後方端部には、前記フィンパネルの上下を横切って通孔が形成されたことを特徴とする請求項１に記載の水泳用足ひれ。
【請求項３】
前記ゴム靴の上方の足の甲部から下方の底面部まで弾性を有する多数の突出ラインがパターニングされていることを特徴とする請求項１に記載の水泳用足ひれ。
【請求項４】
前記ゴム靴の底面に滑り止め用ゴム顎と滑り止め用ゴム板をさらに備えることを特徴とする請求項１に記載の水泳用足ひれ。
【手続補正２】
【補正対象書類名】明細書
【補正対象項目名】全文
【補正方法】変更
【補正の内容】
【発明の詳細な説明】
【技術分野】
【０００１】
本発明は水泳用足ひれ（フィン）に係り、より詳細には、速く泳げるのに役立つ水泳用足ひれであって、本発明の水泳用足ひれは、フィンパネルの長さが従来の製品における靴長の略２倍に相当する長い長さを有するのではなく、フィンパネルの長さが靴長の１／２に相当する短い長さを有するため、従来の製品のフィンパネル長の略１／４に相当するフィンパネルを有する。前記水泳用足ひれのフィンパネルは、その前方端部がフック部を形成すべく約４５°の角度で下方に曲げられ、その両側部が閉鎖された形状を呈する。前記フィンパネルのフック状の前方端部は、それぞれの閉鎖された側部に空気／水循環スロットが形成されている。
【背景技術】
【０００２】
現在海外で製造されている通常の一体型水泳用足ひれは、フック部を有さず、かつ、平らで長く延びた形状のフィンパネルを備えている。この平らで長い形状のために、従来の水泳用足ひれは、フィンパネルの上部面を通る水の流れがあまりにも早く両側面に飛び散って抜けてしまうだけではなく、フィンパネルの形状が水の流れに対する抵抗力を減らし難くなっているために、ユーザが水を掻くに当たって水を後方に十分に押しのけるほどの推進力が得られないという不具合があった。このようにユーザは、長いフィンパネルのために一層多数回のキックを打たなければならず、これは、脚と足首に無理を与えて筋肉が疲れ易くなる原因となる。
【発明の開示】
【発明が解決しようとする課題】
【０００３】
本発明は上記事情に鑑みてなされたものであり、本発明の目的は、ユーザに楽しくて易しく水泳を学ばせることにより、一般人に水泳を活性化させて水泳人口の拡大が図れる水泳用足ひれを提供するところにその目的がある。
【０００４】
また、本発明の他の目的は、国民の体力増進を図るとともに、輸入製品への依存度が下げられる水泳用足ひれを提供するところにある。
【課題を解決するための手段】
【０００５】
前記の如き目的を達成するために、本発明は、プラスティック製フィンパネルが靴長の１／２に相当する短い長さを有し、前記フィンパネルは４５°の角度で下方に曲げられ、両側部が閉鎖されたフック状の端部を備え、前記フック状の端部は、それぞれの閉鎖された側部に空気／水循環スロットが形成されていることを特徴とする。
【０００６】
上記の如き本発明の目的と特徴、ならびにその他の長所は、後述する詳細な説明と図面によって明らかになる。
【発明を実施するための最良の形態】
【０００７】
以下、添付した図面に基づき、本発明による水泳用足ひれにおける各構成要素間の結合関係について詳細に説明する。
【０００８】
図１および図２に示すように、本発明による水泳用足ひれは、圧縮成形方法を用いて一体に成形されたシリコンゴム靴１と、プラスティック製フィンパネル２と、を備えてなる。前記プラスティック製フィンパネル２は、通常の水泳用足ひれに比べて相対的に短く、フック部を形成するためにその前方端部が約４５°の角度で下方に曲げられている。前記角度（４５°）は、泳くときには人体工学的に脚と足が約４５°の角度を保つことを考慮に入れ、フィンパネルを水と水平にするための角度である。水泳用足ひれの断面図である図４を参照すれば、前記水泳用足ひれは、前記フィンパネル２が水の流れに対する抵抗によって反ったり捩れることを防止するために、反り防止具６をさらに備える。
【０００９】
上述したように、前記水泳用足ひれのプラスティック製フィンパネル２は、フック状端部１１を形成するためにその前方端部１１が下方に曲げられているが、これは、水泳用足ひれを履いたユーザが水中でキック（バタ足）を打つときに生じる水の流れへの抵抗力による反射作用を考慮して講じられたことである。
【００１０】
プラスティック製フィンパネル２のフック状端部１１が反ったり左右に捩れることを防止するために、反り防止具６が有機的でかつ作動的にフック状プラスティック製フィンパネル２に結合される。つまり、前記プラスティック製フィンパネル２のフック状端部は反り防止具６によりその両側部が密閉され、前記反り防止具６には前記プラスティック両側部を閉鎖しているそれぞれの側面に空気／水循環スロット７が形成されている。また、前記プラスティック製フィンパネル２の後方端部にも空気や水が上下に通過可能な通孔１５が形成され、ユーザがキックをするときに水への抵抗力を減らす。
【００１１】
前記反り防止具６によれば、ユーザが速いキック運動を行うときにも、前記フック状プラスティック製フィンパネル２の上部を通る水の流れが早く両側に飛び散ることが防止できる。その結果、ユーザの足動作による運動量が高効率にて前記水泳用足ひれに伝達できると共に、ユーザは極めて容易に前方に進むことができる。
【００１２】
フック状プラスティック製フィンパネル２は物を浮かせる働きをし、水を押しのける上部のバタ足面と、浮力推進作用を行う下部のバタ足面を備える。背泳ぎ時にユーザが足の甲で水を蹴るとき、フック状プラスティック製フィンパネル２の上部のバタ足面は水の流れを後方に押しのける。そして、クロール、平泳ぎおよびバタフライ時には、フック状プラスティック製フィンパネル２の下部のバタ足面はフック状プラスティック製フィンパネル２側に水を引き寄せ、その引き寄せられた水を後方に押しのける役割を果たす。
【００１３】
前記プラスティック製フィンパネル２のフック状端部１１の下流側に取り付けられた反り防止具６の両側部に形成された空気／水循環スロット７は、小径の空気／水循環路を形成する。前記空気／水循環スロット７は、前記プラスティック製フィンパネル２のフック状端部に連結された反り防止具６内に入っている空気および水を、水泳用足ひれが水面上に浮上したときに素早く吐き出す。
【００１４】
図２に示すように、水泳用足ひれのシリコンゴム靴１には、上方の足の甲部から下方の底面部まで延びる３本の突出ライン１３がパターニングされている。前記３本の突出ライン１３は、まるでユーザがゴム紐を用いて水泳用足ひれを締めるかのように、ユーザの足を前記ゴム靴１内にしっかり固定する弾性帯の役割を果たす。そして、前記３本の突出ライン１３はそれぞれゴム靴１の底面に形成されている滑り止め用ゴム顎４と連結されている。前記滑り止め用ゴム顎４は、ユーザが水泳用足ひれを履いた状態で水中を歩くとき、または飛込み台などに立ったときに滑ることを防ぐ。このとき、前記滑り止め用ゴム顎４は、それぞれの突出ライン１３と同様に紐形状を呈する。
【００１５】
また、前記滑り止め用ゴム顎４のほかに、ゴム靴１の底面には、滑り止め用ゴム板５をさらに備える。上述したように、フィンパネル２のフック状端部１１は下方に曲げられている。これを考慮し、前記滑り止め用ゴム顎４と滑り止め用ゴム板５の高さと傾きは、曲げられているフック状端部１１の底面の高さに合わせて調整可能である。そして、前記ゴム靴１は、その後端の上部にループ３をさらに備えることにより、ユーザは手指で前記ループ３を持って水泳用足ひれを履けば済む。
【００１６】
本発明による水泳用足ひれの場合、プラスティック製フィンパネル２がゴム靴１の１／２に相当する長さを有し、前記プラスティック製フィンパネル２の前方端部は、前記フック状端部１１を形成するために約４５°の角度で下方に曲げられる。前記プラスティック製フィンパネル２が前記のような形状を有するため、ユーザの脚が前記フィンパネル２と一直線をなし、これにより、水との抵抗が極力抑えられると共に、推進力が最大化させられる。
【００１７】
上述したように、水泳用足ひれのフック状プラスティック製フィンパネル２は、多量の水を後ろに押しのけるように浮力推進作用を行う。これは、泳ぐときに両手を合わせ、手のひらで水を後ろに押しのける作用と同じ原理に基づく。また、水泳用足ひれの上部を通る水の速い流れと飛び散りの不具合を解決するために、上述したように、本発明によるプラスティック製フィンパネル２は、フック状端部を形成するために前方端部１１が下方に曲げられ、前記前方端部１１はその両側部が閉鎖されており、前記両端の密閉された側部には空気／水循環スロット７が形成されている。前記フック状プラスティック製フィンパネル２の形状は、水を引き寄せ、その引き寄せられた水をさらに後ろに押しのける足動作による推進エネルギーを一層効率よく利用可能にする。
【００１８】
特に、バタフライをするときには、フック状フィンパネルを有する水泳用足ひれは、引き寄せた水を下方および後方に効率よく押しのけることにより強い浮力推進力を生じさせ、ユーザの上半身を水面上に一層容易に浮上させる。
【産業上の利用可能性】
【００１９】
以上の説明から明らかなように、本発明は、泳ぐときにまるで両手を合わせて手のひらで水を後ろに押しのけて前方に進むような働きをする水泳用足ひれを提供する。また、本発明による水泳用足ひれは、鳥が水面を弾いて飛ぶときに足を合わせる原理に基づく。
【００２０】
本発明による水泳用足ひれは、ゴム靴とプラスティック製フィンパネルを備える。そして、フィンパネルは、ゴム靴の１／２に相当する長さを有する。水泳用足ひれが短いため、ユーザが長時間水泳をする場合にも、足首に過度な無理を与えず、キックをするときに要される力を減らすことにより、効率よいキックを可能にする。また、本発明によれば、水泳用足ひれはフック状端部を形成するためにその前方端部が４５°の角度で下方に曲げられ、これにより、引き寄せた水を強く後ろに押しのけてユーザに前方に進み易くする浮力推進力を生じるべく設計されている。
【００２１】
以上、本発明の記載された具体的な実施の形態について詳細に説明されたが、本発明の技術的な思想内であれば様々な変形および修正が可能であるということは当業者にとって明らかである。なお、かかる変形および修正は、特許請求の範囲に属するということは言うまでもない。
【図面の簡単な説明】
【００２２】
【図１】図１は、本発明による水泳用足ひれの平面図である。
【図２】図２は、本発明による水泳用足ひれの側面図である。
【図３】図３は、本発明による水泳用足ひれの底面図である。
【図４】図４は、本発明による水泳用足ひれのＡ−Ａ′線断面図である。
【図５】図５は、本発明による水泳用足ひれの実物写真である。
【手続補正３】
【補正対象書類名】図面
【補正対象項目名】全図
【補正方法】変更
【補正の内容】
【図１】
2005533595.tif 000008
【図２】
2005533595.tif 000009
【図３】
2005533595.tif 000010
【図４】
2005533595.tif 000011
【図５】
2005533595.tif 000012
【国際調査報告】
2005533595.tif 000013